(57)【要約】【課題】  タッチセンサ方式のキーを備えた携帯端末は、接触のみによってキーイベントが発生するという構造上、予期せぬ誤操作を引き起こすため、上記誤操作の発生を極力低減させる携帯端末を提供する。【解決手段】  送受信を行う送受信手段１４と、送話手段１６と、受話手段１７と、タッチセンサ方式のキー１１と、端末全体の制御を行う制御手段１０とを備える携帯端末において、受話手段１７付近に接触を検出する接触検出手段を設けており、制御手段１０は、接触検出手段が接触を検出している間、キーモードを誤操作防止モードに切り替え、キー入力による終話操作を無効とする制御を行う。【選択図】        図１
2005269567.tif 000002
【特許請求の範囲】
【請求項１】
送受信を行う送受信手段と、送話手段と、受話手段と、タッチセンサ方式のキーと、端末全体の制御を行う制御手段とを備える携帯端末において、
前記受話手段付近に接触を検出する接触検出手段を設けており、前記制御手段は、前記接触検出手段が接触を検出している間、キーモードを誤操作防止モードに切り替え、キー入力による終話操作を無効とする制御を行うことを特徴とする携帯端末。
【請求項２】
送受信を行う送受信手段と、送話手段と、受話手段と、タッチセンサ方式のキーと、端末全体の制御を行う制御手段とを備える携帯端末において、
タイマ手段を有しており、前記制御手段は、文字入力時にキーの連続した２入力の時間間隔が規定値以下の場合、キー操作を無効とする制御を行うことを特徴とする携帯端末。
【請求項３】
送受信を行う送受信手段と、送話手段と、受話手段と、タッチセンサ方式のキーと、端末全体の制御を行う制御手段とを備える携帯端末において、
タイマ手段を有し、前記制御手段は、項目数の多いメニュー画面、アドレス帳など出力装置の一画面で表示しきれないアプリケーションプログラムを実行中に、タッチセンサ方式テンキーの連続した２以上の入力の種類及び時間間隔に応じたスクロール方向又はスクロールスピードとなる制御を行うことを特徴とする携帯端末。
【請求項４】
請求項１〜３のいずれか１項に記載の携帯端末において、
上記制御手段は、任意のアプリケーションプログラムが起動されると、タッチセンサ式キーのキーモードを切り替える制御を行うことを特徴とする携帯端末。
【発明の詳細な説明】
【技術分野】
【０００１】
本発明は、携帯端末に関し、例えば携帯電話やＰＨＳ（Ｐｅｒｓｏｎａｌ  Ｈａｎｄｙｐｈｏｎｅ  Ｓｙｓｔｅｍ）等の移動体通信網と接続可能な携帯端末に適用して好適なものである。
【背景技術】
【０００２】
従来の携帯端末で文字入力やカーソル移動の操作をするためには、プッシュ式キーの押下や回転操作型電子部品（ジョグダイヤル）の回転操作が必要である。しかしながら、携帯端末の多機能化や出力装置の高解像度化が進展する今日、従来の方式では入力・選択の操作性、画面の閲覧性において満足できるものではない。
【０００３】
上述のサービスを満足に実現させるために、たとえば、タッチセンサを直線または平面曲線もしくは空間曲線状の所定の軌跡上に連続して配置させ、ダイヤルを回転させるようにタッチセンサを操作することにより、表示部に表示される項目をすばやくスクロールさせ、多くの機能や電話番号の選択を簡単に利用したり、キートップにタッチ検知センサを付設したものを軌跡上に配置し、指先を滑らせるように移動させて軌跡上のタッチイベントもしくは移動距離を入力させる方式が提案されている（例えば特許文献１参照）。
【特許文献１】特開平１１−１９５３５３号公報
【発明の開示】
【発明が解決しようとする課題】
【０００４】
上記背景技術においては、携帯端末の一部分にタッチセンサ式のキーを導入し、多項目メニュー等の選択に関して操作性の向上を図っている。キートップ全てのキーにタッチセンサ方式を導入することにより、メニュー選択状態はもちろん、文字入力状態や、携帯端末の出力装置一画面で表示しきれないブラウジング状態にも応用できる携帯端末を提案する。しかし、キートップ全てのキーをタッチセンサ方式のキーとしたときには、接触しただけでキーイベントが発生するというタッチセンサの構造上、誤操作が発生しやすい。例えば、通話中携帯電話を手にとって耳部にあてている状況を想定する。タッチセンサ方式の終話キーが従来の終話キーと同じように配置される場合、通話中に顔部の一部が終話キーに接触し通話が終了してしまってはならない。また、メール作成等の文字入力状態においてもキーに接触しただけでキーイベントが発生するため、文字の誤入力を引き起こす可能性が高い。
【０００５】
本発明の目的は、メニュー選択状態や、文字入力状態や、携帯端末の出力装置一画面で表示しきれないブラウジング状態にも応用でき、誤操作が生じにくい、タッチセンサ方式の携帯端末を得ることにある。
【課題を解決するための手段】
【０００６】
全てのキーにタッチセンサ方式を備える携帯端末において、通話時、携帯端末レシーバ付近に耳部が確実に接触するタッチセンサを配置し、通話時、耳部がタッチセンサに接触している間は、キーモードを誤操作防止モードに切り替え、終話及び機能の呼出等の操作を受付けなくすることにより、通話時の誤操作を防止することができる。
【０００７】
さらに、タイマ手段を備えることにより、メール作成等の文字入力状態においてはタイマにより２種類及び、同一キーの連続入力の時間間隔を測定するキーモードに遷移させ、前記時間間隔が規定値以下の場合キー操作を無効とすることにより、文字入力時における誤操作を防止することができる。
【０００８】
また、タイマ手段を有し、項目数の多いメニュー画面、アドレス帳、ブラウジング画面など出力装置の一画面で表示しきれないアプリケーションプログラムを実行中に、タッチセンサ方式テンキーの連続した２入力の種類及び時間間隔に応じてスクロール方向及びスクロールスピードを制御するキーモードに切り替えることにより、項目数の多いメニュー画面、アドレス帳における検索性を改善すると共に、ブラウジング画面の閲覧性を改善することができる。
【０００９】
すなわち、本発明は、送受信を行う送受信手段と、送話手段と、受話手段と、タッチセンサ方式のキーと、端末全体の制御を行う制御手段とを備える携帯端末において、前記受話手段付近に接触を検出する接触検出手段を設けており、前記制御手段は、前記接触検出手段が接触を検出している間、キーモードを誤操作防止モードに切り替え、キー入力による終話操作を無効とする制御を行う携帯端末である。
【００１０】
また、本発明は、送受信を行う送受信手段と、送話手段と、受話手段と、タッチセンサ方式のキーと、端末全体の制御を行う制御手段とを備える携帯端末において、タイマ手段を有しており、前記制御手段は、文字入力時にキーの連続した２入力の時間間隔が規定値以下の場合、キー操作を無効とする制御を行う携帯端末である。
【００１１】
そして、本発明は、送受信を行う送受信手段と、送話手段と、受話手段と、タッチセンサ方式のキーと、端末全体の制御を行う制御手段とを備える携帯端末において、タイマ手段を有し、前記制御手段は、項目数の多いメニュー画面、アドレス帳など出力装置の一画面で表示しきれないアプリケーションプログラムを実行中に、タッチセンサ方式テンキーの連続した２以上の入力の種類及び時間間隔に応じたスクロール方向又はスクロールスピードとなる制御を行う携帯端末である。
【００１２】
更に、本発明は、上記制御手段は、任意のアプリケーションプログラムが起動されると、タッチセンサ式キーのキーモードを切り替える制御を行う携帯端末である。
【発明の効果】
【００１３】
本発明によれば、メニュー選択状態や、文字入力状態や、携帯端末の出力装置一画面で表示しきれないブラウジング状態にも応用でき、誤操作が生じにくい、タッチセンサ方式の携帯端末を実現できる。
【発明を実施するための最良の形態】
【００１４】
本発明を実施するための最良の形態を説明する。
以下本発明の携帯端末の実施例について、図面を用いて説明する。図１は、実施例１の携帯端末の説明図である。図２は、実施例１の携帯端末の動作のフローチャートの一例の説明図である。図３は、実施例２の携帯端末の回路構成の説明図である。図４は、実施例２の携帯端末の動作のフローチャートの一例の説明図である。図５は、実施例３の携帯端末の動作のフローチャートの一例の説明図である。
【実施例】
【００１５】
実施例１を説明する。図１は、本実施例の携帯端末（携帯電話機）１の外観図の一例である。図１において、レシーバ（受話口）３に隣接して誤操作防止用タッチセンサ２が付設されている。本実施例では、誤操作防止用タッチセンサ２の付設をレシーバ付近としているが、通話中に話者の体の一部と接触し易い個所であればどこでもよい。液晶ディスプレイ４の下部にはカーソルキー５、メール起動キーやアドレス帳起動等の各種メニューキー６が配置されている。カーソルキー５、メニューキー６の下部には、「発信／受信キー」、「クリアキー」、「電源／終話キー」といった基本操作キー７が配置されている。基本操作キー７の下部には、電話番号の入力や文字の入力で必要となる、「０〜９」、「＃」、「＊」で構成されるダイヤルキー８が付設されている。ダイヤルキー８の下部にはマイク（送話口）９が付設されている。各種キー５〜８はすべてタッチセンサ式キーで構成され、操作性の向上を図っている。尚、本発明において、キーの配置は図１に示す限りではない。
【００１６】
図２は、本実施例の携帯端末における、通話中の意図しない誤操作の防止処理手順の一例の流れ図である。待受け状態（Ｓ１０）から、当該携帯端末からの通話発信、又は他電話機からの通話着信を受けた場合（Ｓ１１）、通話状態遷移（Ｓ１２）の直後に通話キーモード（Ｓ１３）が割り当てられ、通話状態（Ｓ１４）に入る。通話状態（Ｓ１４）において通話相手側による終話操作（Ｓ１５）が完了している場合は、双方ともに終話状態（Ｓ１８）となるのは現状の携帯電話と同じ動作である。一方、終話の意思がないにもかかわらず、通話中に顔の一部がタッチセンサの終話キーに接触（Ｓ１６）してしまう場合がある。このとき、当該携帯端末は、図１の誤操作防止用タッチセンサ２への接触の有無確認を行う。通話中は耳元に端末を押し当てる状態が想定されるので、誤操作防止用タッチセンサ２への接触は有の可能性が高い。逆に、通話終了後は携帯端末を耳元から遠ざけるため、タッチセンサ２への接触は無の可能性が高い。ゆえに、図２のステップＳ１７の分岐では、タッチセンサ２への接触が有の状態における終話キーへの接触は誤操作と認識され、無効となる。その結果、通話状態（Ｓ１４）が維持される。また、タッチセンサ２への接触が無の状態における終話キーへの接触は正常操作と認識され、終話状態（Ｓ１８）となる。尚、本稿では誤操作防止センサにタッチセンサを用いているが、これに限られるものでない。例えばサーモセンサのように人間の体が接触及び付近に存在していることを検知できるものは、検出がより正確となり、好ましい。
【００１７】
実施例２を説明する。図３は、本発明によるタッチセンサ入力手段を適用した携帯端末の回路構成を示すブロック図である。本実施例の携帯端末は、制御部１０、タッチセンサ１１、センサ信号検出部１２、タイマ制御部１３、送受信回路部１４、アンテナ１５、送話部１６、受話部１７、メモリ１８、表示駆動部１９、表示部２０を備えている。
【００１８】
実施例２の携帯端末は、タッチセンサ１１からの入力はセンサ信号検出部１２にて検出される。センサ信号検出部１２で検出された入力信号は、図４、又は図５に示すような文字入力モードやタッチパッドモードへの遷移以降では、２つ以上のキー入力の時間間隔を測定するためにタイマ制御部１３にてタイマ処理が行われ、制御部１０に渡される。送受信回路１４は、アンテナ１５と接続され、送話部１６からの送信データは送受信回路部１４及び制御部１０にて所定のデータに変換された後、アンテナ１５より送信される。アンテナ１５からの受信データは、送受信回路１４及び制御部１０にて音声データに変換され、受話部１７に供給される。メモリ１８には、命令処理を格納するＲＯＭや、処理データを格納するＲＡＭが配置され、これらのデータに基づき制御部１０にてプログラム処理が行われる。表示部２０は、表示駆動部１９を介して制御部１０に接続され、制御部１０の処理結果を表示する。
【００１９】
図４は、実施例２の携帯端末における文字入力時の誤操作防止処理手順の一例の流れ図である。メール作成画面などの文字入力を必要とするアプリケーションを起動後（Ｓ１９）、端末内ではタッチセンサ式のキー全てに文字入力モード（Ｓ２０）が割り当てられる。この文字入力モード（Ｓ２０）の割り当てが、タッチセンサ式携帯端末の誤操作防止策となる。文字入力モード（Ｓ２０）を割り当て後、文字入力受付状態（Ｓ２１）に遷移する。文字入力受付状態（Ｓ２１）から文字入力のためのキー押下（Ｓ２２）のイベント発生後に、内部処理としてタイマ起動（Ｓ２３）が行われる。タイマ起動（Ｓ２３）以降、文字入力受付状態（Ｓ２４）から、次の文字入力のためのキー押下（Ｓ２５）のイベントが発生したとき、直前のキー入力以降の時間経過を測定する（Ｓ２６）。人間が意識的にタッチセンサキーを連続接触操作するスピードには限界があり、この限界によって定められた入力時間間隔の規定値を超えて操作されたキー入力については誤操作認識（Ｓ２８）とし、操作無効（Ｓ２９）となる。直前のキー入力からの時間経過が規定値以上であれば、正しい操作と認識（Ｓ３０）し、入力された文字を出力装置に表示（Ｓ３２）させる。ここで、タイマ起動（Ｓ３０）は、文字入力のためのキー押下（Ｓ２５）と、閾値判定（Ｓ２７）を介して再度文字入力のために行われるキー押下（Ｓ２５）との時間間隔測定のためのタイマ起動である。
【００２０】
実施例３を説明する。図５は、本実施例の携帯端末における、ＧＰＳにて地図情報を取得（Ｓ１１）した際に、当該携帯端末１の液晶ディスプレイ一画面上で、全ての地図情報を表示しきれない場合の画面スクロール処理手順の一例の流れ図である。本稿ではＧＰＳより取得した地図情報について特記しているが、項目数の多いメニュー画面におけるメニュー選択、登録件数の多いアドレス帳からのアドレス選択、受信した長文メール等を閲覧するためのスクロール機能としてもよい。
【００２１】
地図情報を取得（Ｓ４０）し、液晶ディスプレイ４に地図情報を出力（Ｓ４１）後、タッチパッドモード（Ｓ４２）が割り当てられる。ここで、液晶ディスプレイ４に表示されている地図情報は（Ｓ４０）で得られた地図情報の一部であり、現在閲覧しているエリア以外はスクロールによって閲覧が可能である、という状況を想定する。閲覧中の待機（静止）状態（Ｓ４３）において、ディスプレイ４に表示中の地図をスクロールさせることを考える。始めに任意の一つのキーに接触する（Ｓ４４）。このとき、内部処理にてタイマの起動（Ｓ４５）が行われる。タイマ起動（Ｓ４５）以降、待機（静止）状態（Ｓ４６）へと遷移する。次に隣接するキーの入力イベント（Ｓ４７）が発生したとき、直前のキー入力（Ｓ４４）からの時間経過をタイマ（Ｓ４５）より測定（Ｓ４９）する。このとき、二つの入力キー（Ｓ４４）、（Ｓ４７）の種類及び、入力の時間間隔（Ｓ４９）の検出結果を演算することで、スクロールさせる方向、スクロール量、スクロールスピードを決定（Ｓ５０）する。以降、連続して操作を行う場合には、待機（静止）状態（Ｓ４６）に移行する。ここで、時間間隔測定（Ｓ４９）直前のタイマ起動（Ｓ４８）は、キー入力（Ｓ４７）と、連続操作の判定（Ｓ５１）を介して再度画面スクロールのために行われるキー入力（Ｓ４７）との時間間隔測定のためのタイマ起動である。
【００２２】
本実施例の携帯端末におけるタッチパッドモードにおけるスクロール操作の一例について説明する。携帯電話機１のダイヤルキー８の配置において、一つ目のキーの入力（Ｓ４４）に「５」を入力、そのまま指を滑らかに移動させて次のキーの入力（Ｓ４７）に「４」を入力した場合を想定する。この場合、「５」のキーから見て「４」のキーは左側に位置していることから、画面は左にスクロールすることになる。「５」と「４」入力の時間間隔を測定（Ｓ４９）し、時間間隔が短いほどスクロール量を大きく、スクロールスピードを速くする。具体的なスクロールの量とスピードに関しては明示していないが、ユーザが操作しやすいように携帯端末内で設定できるような構成がよい。
【００２３】
本発明は、携帯電話にかかわらず、タッチセンサによる入力キーを用いた機器に対して、キー入力の時間的間隔及び順序を検出することにより、文字入力における誤操作検出、表示画面のスクロール制御が必要な機器に適用できる。
【図面の簡単な説明】
【００２４】
【図１】実施例１の携帯端末の説明図。
【図２】実施例１の携帯端末の動作のフローチャートの一例の説明図。
【図３】実施例２の携帯端末の回路構成の説明図。
【図４】実施例２の携帯端末の動作のフローチャートの一例の説明図。
【図５】実施例３の携帯端末の動作のフローチャートの一例の説明図。
【符号の説明】
【００２５】
１  携帯電話端末
２  誤操作防止用タッチセンサ
３  レシーバ（受話口）
４  液晶ディスプレイ
５  カーソルキー
６  メニューキー
７  基本操作キー
８  ダイヤルキー
９  マイク（送話口）
１０  制御部
１１  タッチセンサ
１２  センサ信号検出部
１３  タイマ制御部
１４  送受信回路部
１５  アンテナ
１６  送話部
１７  受話部
１８  メモリ
１９  表示駆動部
２０  表示部
【図１】
2005269567.tif 000003
【図２】
2005269567.tif 000004
【図３】
2005269567.tif 000005
【図４】
2005269567.tif 000006
【図５】
2005269567.tif 000007